(57)【要約】【課題】  開封状態がきれいで、インパクトのあるピロー包装体とすること。【解決手段】  ピロー包装体１０は、筒状の包装フィルムからなる本体１１内に製品１３を収納するとともに、その包装フィルムの所定部位を熱シールして形成される。本体には、その本体の軸方向の一端で前記熱シールされたエンドシール部１２よりの所定位置に、そのエンドシール部に沿った横方向に包装フィルムを切断可能な横方向易開封部１４を設けるとともに、その横方向易開封部にて切断されて開口された本体の開口部から縦方向に包装フィルムを切断可能な縦方向易開封部１５を設けた。横方向開封部で切断してエンドシール部を含む頭部分１１ａを取り除くことができ、縦方向開封部で切断して複数に分割された帯片１６は、その先端にエンドシール部がないきれいな形態となる。【選択図】        図３
2011213376.tif 000002
【特許請求の範囲】
【請求項１】
筒状の包装フィルムからなる本体内に製品を収納するとともに、その包装フィルムの所定部位を熱シールしてなるピロー包装体であって、
前記本体には、その本体の軸方向の一端で前記熱シールされたエンドシール部よりの所定位置に、そのエンドシール部に沿った横方向に包装フィルムを切断可能な横方向易開封部を設けるとともに、その横方向易開封部にて切断されて開口された本体の開口部から縦方向に包装フィルムを切断可能な縦方向易開封部を設けたことを特徴とするピロー包装体。
【請求項２】
前記横方向易開封部と前記縦方向開封部は、前記エンドシール部よりの所定位置に横方向に延びるように形成された傷跡群から構成されることを特徴とする請求項１に記載のピロー包装体。
【請求項３】
前記本体には、前記傷跡群が形成された領域の一部または全部の領域に、その存在位置を知らせるデザインが施されていることを特徴とする請求項２に記載のピロー包装体。
【請求項４】
前記本体のエンドシール部よりの所定位置に、横方向に延びるミシン目状を形成し、
そのミシン目状は、横方向に切断された際の本体に残る切断跡に、本体に切り込まれた縦方向の引き裂き開始部が形成されるものであることを特徴とする請求項１に記載のピロー包装体。
【請求項５】
前記包装フィルムは、縦方向の切り裂き性を備えたものであることを特徴とする請求項１から４のいずれか１項に記載のピロー包装体。
【発明の詳細な説明】
【技術分野】
【０００１】
本発明は、ピロー包装体に関するもので、より具体的には、開封機能の改良に関する。
【背景技術】
【０００２】
よく知られているように、ピロー包装機は、帯状のフィルムを製袋器を通して筒状に製袋し、重ね合わされたフィルム重合端をセンターシール装置によってシールすることにより筒状フィルムを形成する。一方、製袋器の上流側には、製袋器内に被包装物である製品を所定間隔ごとに供給する製品搬送供給装置が配置される。製品が筒状フィルム内に等間隔に配置された状態で搬送されるようになる。そして、ピロー包装機の搬出側に配置されたエンドシール装置にて、筒状フィルムを所定間隔ごとに横方向に横断するようにシール・カットすることにより、製品を内包するピロー包装体が製造される。
【０００３】
図１は、係るピロー包装体の一例を示している。このピロー包装体１は、製品２を筒状の包装フィルム３で包み込むとともに、その包装フィルム３の適宜位置がシールされて密封される。具体的なシール部位は、筒状の軸方向に沿ったフィルムの両側縁を重ね合わせてシールしたセンターシール部４と、進行方向の前後を横方向にシールカットして形成されるエンドシール部５がある。
【０００４】
各種の包装体は、開封して製品２を取り出す必要があり、そのため、開封作業性を容易にするための各種の方式が試みられている。その一例として、図１に示した特許文献１に開示された発明のように、熱融着したエンドシール部５を易剥離性として接着後に剥離可能とし、さらに、エンドシール部５の外側に非接着部６を設けるとともに、その非接着部の両隅をカットしてフリー状態とする。そして、その非接着部６に位置するフィルム部位をつまむとともに互いに離れる方向に引っ張ることにより、エンドシール部５を引き剥がして包装体を開封するようになっている（図１（ｂ），（ｃ）参照）。さらに、そのようにエンドシール部５を剥離した状態でさらに上記の摘んだフィルム部位を所定方向に引っ張ることで、略矩形に形成された本体部分のセンターシール部４と平行な４辺の折り曲げ線７が切り離されて、同１（ｄ）に示すように製品２を筒状に包み込んだ包装フィルム３は帯状の片８，９に分割されて開封される。
【先行技術文献】
【特許文献】
【０００５】
【特許文献１】特許第３７３８０９３号
【発明の概要】
【発明が解決しようとする課題】
【０００６】
図１に示すピロー包装体１では、図１（ｄ）に示すように、最終的に４つの片に分割されて開き、製品２が露出することになるが、係る構成にするためにエンドシール部５を易剥離性にする必要があり、そのシールされたエンドシール部５の一部または全部が不用意に剥離して開封してしまうおそれがある。さらに、開封されて４つの帯状の片８，９が開いた状態では、その片８，９の先端近傍にエンドシール部５であった部分が残り、さらにその先端には非接着部６が存在するため、見た目が悪い。
【０００７】
さらに、フィルムが切り裂かれる位置は、折り曲げ線７で固定されるため、４つの片にしか分割できず、任意の位置で切り裂いたり、５つ以上の帯状の片に分割することもできず、バラエティ・面白みに欠ける。しかも、図示のように、製品が扁平なものの場合には、幅広の２つの片８と細長な２つの片９となり、開いた状態の見た目がアンバランスとなり、各ユーザの個性・感性に対応した趣のある切り裂き・開封状態で開封でききないという課題がある。
【課題を解決するための手段】
【０００８】
上述した課題を解決するために、本発明のピロー包装体は、（１）筒状の包装フィルムからなる本体内に製品を収納するとともに、その包装フィルムの所定部位を熱シールしてなるピロー包装体であって、前記本体には、その本体の軸方向の一端で前記熱シールされたエンドシール部よりの所定位置に、そのエンドシール部に沿った横方向に包装フィルムを切断可能な横方向易開封部を設けるとともに、その横方向易開封部にて切断されて開口された本体の開口部から縦方向に包装フィルムを切断可能な縦方向易開封部を設けた。
【０００９】
これにより、まず、横方向易開封部を用いて本体のエンドシール部よりの所定位置を横方向に切断し、本体の先端部分（頭部分１１ａ）をそのエンドシール部ごと切除して本体を開口する。次いで、その開口された縁部に臨む縦方向易開封部を用いて、本体の包装フィルムを縦方向に切り裂くことで、包装フィルムを複数の帯片に分割しながら切り開くことができる。このとき、すでに横方向易開封部を用いた開封処理によりエンドシール部が本体から離脱しているので、分割された帯片のフリーとなった先端にはエンドシール部がなく、見た目がよい。
【００１０】
前記横方向易開封部と前記縦方向開封部は、前記エンドシール部よりの所定位置に横方向に延びるように形成された傷跡群から構成されるようにするとよい。傷跡群は、マジックカットなどと称されどこからでも容易に切ることができるようにしたもので、例えば、その傷跡群の延びる方向のどの箇所からも、その延びる方向と直交する方向に切断することができるものである。従って、横方向に延びるように形成された傷跡群を利用して、傷跡群の延びる方向と直交する縦方向に切り裂いていくことができる。もちろん、傷跡群が延びる方向（横方向）は、ミシン目のようになるので、横方向にも切り裂いていくことができる。よって、係る傷跡群により横方向易開封部と縦方向易開封部の両方を兼用して構成することができる。また、開口された端縁の任意の位置から縦方向に切り裂くことができるので、ユーザの好みに合わせた所定幅の帯片に分割でき、本体の１つの面を複数の帯片に分割することもでき、ユーザの嗜好にあった開封状態にすることができ、インパクトもある。
【００１１】
（３）前記本体には、前記傷跡群が形成された領域の一部または全部の領域に、その存在位置を知らせるデザインが施されているようにするとよい。このようにすると、どの一から横方向／縦方向に開封して良いかが容易に理解できるので好ましい。
【００１２】
（４）前記本体のエンドシール部よりの所定位置に、横方向に延びるミシン目状を形成し、そのミシン目状は、横方向に切断された際の本体に残る切断跡に、本体に切り込まれた縦方向の引き裂き開始部が形成されるようにするとよい。ミシン目状は、実施形態の図４に示す各パターンＰ１からＰ４に対応する。また、縦方向の引き裂き開始部は、円形パターンＰ１′，Ｐ３や、縦線部Ｐ２″，Ｐ４″に対応する。
【００１３】
（５）前記包装フィルムは、縦方向の切り裂き性を備えるとよい。係るフィルムは、一軸延伸性フィルムや２軸延伸性フィルムを用いて構成することができる。このようにすると、包装フィルムを縦方向に真っ直ぐに切り裂かれていくので、帯片を簡単にきれいな形状とすることができるので、開封状態の姿もきれいになるので好ましい。
【発明の効果】
【００１４】
開封状態がきれいで、インパクトのあるピロー包装体とすることができる。
【図面の簡単な説明】
【００１５】
【図１】従来のピロー包装体を示す図である。
【図２】本発明の好適な一実施形態を示す全体図である。
【図３】本発明の好適な一実施形態を示す要部の平面図である。
【図４】本発明の好適な一実施形態を示す要部の平面図である。
【発明を実施するための形態】
【００１６】
図２は、本発明に係るピロー包装体１０の好適な一実施形態を示している。同図に示すように、このピロー包装体１０は、筒状に製袋された包装フィルムからなる本体１１の長手方向の両端にエンドシール部１２，１２′が形成され、また、図では裏面側に位置するために隠れて描画されていないが、長手方向に沿ってセンターシール部も形成され、製品１３が密封される。
【００１７】
本体１１の筒状部分の一方のエンドシール部１２よりの所定位置に、エンドシール部１２に沿った横方向（胴回り方向）に包装フィルムを切断可能な横方向易開封部１４が形成されている。さらにこの横方向易開封部１４上、或いはその横方向易開封部１４を含みエンドシール部１４に対して内側にセンターシール部と平行な縦方向（長手方向）に沿って引き裂きが可能な縦方向易開封部１４を設けている。さらに本体１１を構成する包装フィルムは、所定層に一軸または二軸延伸フィルムを備えた積層フィルムであって、少なくとも縦方向に切断されやすい性質を持つ。
【００１８】
横方向易開封部１４を設けることで、ユーザは、まず、その横方向易開封部１４の部分で包装フィルムを切断する。これにより、図２（ｂ）に示すように横方向易開封部１４の切り裂かれた部分よりもエンドシール部１２側の頭部分１１ａが本体１１から離反し、製品１３の一端が露出する。
【００１９】
また、本実施形態のピロー包装体１０は、横方向易開封部１４上或いはその横方向易開封部１４を含むように縦方向易開封部１５を設けたので、開封されたピロー包装体１０の開口部位、つまり、本体１１の横方向易開封部１４で切り離されて開口した端部には、縦方向易開封部１５の一端が位置する。従って、ユーザは、次に露呈した縦方向易開封部１５を用いて残った本体１１部分を、センターシール部に沿った縦方向に複数箇所で切り裂く。これにより、図２（ｃ）に示すように、本体１１は、複数の細長な帯片１１ｂに分割して切り開かれ、製品２が大きく露出する。そして、図からも明らかなように、本体１１の形状が、偏平な矩形状であり、幅広の面があっても細幅の複数（個々では２つ）の帯片１１ｂに分割して切り開くことができる。
【００２０】
よって、本体１１は、バナナの皮を剥ぐように向いて開封することができ、ユーザに対してインパクトを与えることができ、製品１３のイメージアップを図ることができる。また、縦方向易開封部１５による開封を途中までにすることで、切り裂かれていない本体１１の部分を手で持つこともでき、例えば製品が羊羹・アイスその他の食品のように直接食べることができるものの場合、まさしくバナナを食するのと同様、製品を手で触れることなく食べることができるので、食べやすいとともに趣・インパクトがある。また、製品１３を皿等に取り出す場合でも、本体１１のほぼ全体に渡って切り裂いて複数の帯片１１ｂに分割することで、製品１３のほぼ全体を露出させることができるとともに、その状態でも本体１１を手で掴むことで間接的に製品１３の一端を掴むことができ、開封途中で製品１３が不用意に落下することもなく、確実かつ簡単に製品を取り出すことができる。そして、その場合でも、製品１３に直接手で触れることがないので、衛生的でもある。
【００２１】
また、横方向易開封部１４を用いた開封処理によりエンドシール部１２は頭部分１１ａとともに本体１１から離脱するので、その後の縦方向易開封部１５を用いた開封処理では、分割された帯片１１ｂのフリーとなった先端にはエンドシール部がなく、見た目も良いばかりでなく、エンドシール部１２を易薄利性にする必要が無いのでしっかりとシールすることができる。よって、エンドシール部１２の部分で不用意にシールが剥がれることもなく、開封作業前の密封性を維持できる。
【００２２】
次に、横方向易開封部１４並びに縦方向易開封部１５について説明する。本実施形態では、本体１１を構成する包装フィルムとして所定のフィルム材を複数枚積層した積層フィルムを用い、その外層側のフィルムの所定位置（横方向易開封部１４並びに縦方向易開封部１５の形成領域）に傷痕群を形成し、その傷跡群の部分で開封（切り裂き）しやすくしている。この傷跡群は、いわゆるマジックカットと称されるもので、このマジックカットが形成された部分ではどこからでも開封でき、包装体の開封開始位置に易開封機能の一つとして採用されている。このマジックカットの通常の使用態様では、傷跡を結ぶ線が縦方向（センターシール部と平行）に延びるように所定の本数分だけ配置されるレイアウト構造をとり、その縦方向の側縁の任意の位置から横方向にフィルムを切り裂いていって開封するものである。
【００２３】
これに対し、本実施形態では、係るマジックカットの通常の使用態様ではなく、傷跡を結ぶ線をエンドシール部１２と平行な横方向に延びるように形成している。横方向であるので、マジックカットは、筒状の本体１１の周りを一周するように形成する。そして、本来の使用方法と相違するがそのマジックカットを構成する横方向に延びる傷跡に沿ってフィルムを切り裂けるようにする。つまり、そのようにマジックカットを構成する横方向に延びる傷跡の線が、横方向易開封部１４を構成する
さらに、上記のようにマジックカットを構成する傷跡に沿って切り裂かれて一端側が開口された部分には、マジックカットを構成する傷跡の半割れ部分や複数ほんの傷跡がある場合には未切断の傷跡が残っているので、その部分を利用して本来的なマジックカットの使用方法である傷跡を結ぶ線と直交する方向への切り裂きを行い、縦方向の切り裂きを行う。よって、横方向に延びるように形成したマジックカットの通常の機能部分が、縦方向易開封部１５を構成する。このように、通常と９０度回転した方向に形成されたマジックカットにより、横方向易開封部１４と縦方向易開封部１５の両方の機能を持たせるようにした。
【００２４】
ところで、マジックカットを構成する傷跡は、非常に微細で、肉眼でちょっと見ただけではその存在位置を認識することが困難なものもある。そこで、本実施形態では、図３に示すように、マジックカットすなわち横方向易開封部１４と縦方向易開封部１５の存在位置が容易にわかるようなデザインをとるようにした。具体的には、図３（ａ）に示すように、マジックカットの形成領域ＭＲを一定の幅の帯状にし、その形成領域ＭＲを縦方向で２分割する。その２分割された領域は、便宜上、エンドシール部１２側から順に第１領域Ｒ１，第２領域Ｒ２とする。この場合に、第１領域Ｒ１が横方向易開封部１４となり，第２領域Ｒ２が縦方向易開封部１５となる。なお、形成領域ＭＲ内では、マジックカットを構成する傷跡群は、いずれの場所でも同じように形成しており、第１領域Ｒ１と第２領域Ｒ２とで特に異ならせてはいない。従って、第１領域Ｒ１の任意の位置で横方向にカットした場合、本体１１側に残った第１領域Ｒ１内のマジックカットを構成する傷跡群は、いずれの位置からも縦方向に切り裂くことができるマジックカット本来の機能を発揮し、縦方向易開封部１５として機能する。
【００２５】
各領域Ｒ１，Ｒ２の位置が容易に理解できるようにするため、本体１１を構成する包装フィルムに印刷を施すに際し、第１，第２領域Ｒ１，Ｒ２を異なるデザインパターンとする。異なるデザインパターンとは、色を変えてもよいし、模様を変えてもよい。また、第１領域Ｒ１内に、「横方向にお切りください」などのメッセージを印刷すると、その領域の意味がよりわかりやすいので好ましい。
【００２６】
このようにすることで、ユーザは、第１領域Ｒ１の場所を認識し、本体１１の包装フィルムを横方向に切断してエンドシール部１２を含む頭部分１１ａを迷うことなく切除して開封できる。その後、本体１１の開口した任意の部位から縦方向に切り込むことで、複数の帯片に分割して切り開くことができる。
【００２７】
なお、横方向の切断の際に、第２領域Ｒ２側に入った位置を切り裂いたとしても、異なるパターンにしておくことで境界付近となることが多く、その場合には第２領域Ｒ２のマジックカットの傷跡群の多くが残るので、縦方向に容易に切り裂くことができる。
【００２８】
また、第１領域Ｒ１のみあるいは第２領域のみに所定の色・模様等で塗り潰すような印刷を施し、他方の領域は特別なデザインを施さないように（本体１１の地模様と同じに）してもよい。たとえば第１領域Ｒ１のみに所定のデザインを施した場合、そのデザインのどの位置でも横方向易開封部１４となり、任意の位置で横方向にフィルムを切り裂いて頭部分１１ａを切除できる。そして、仮にデザインされた領域の第２領域側の端縁を切り裂いたとしても、本体１１側に残った部分には、第２領域Ｒ２内のマジックカットが残っているので、縦方向に確実かつ容易に切り裂くことができる。
【００２９】
また、第２領域Ｒ２のみに所定のデザインを施した場合、そのデザインのエンドシール部１２側の端縁に沿って横方向に切り裂くことで、容易に頭部分１１ａを取り除いてピロー包装体１０を開封できる。この場合に、当該端縁上を正確に切り裂く必要はない。すなわち、仮にデザインの外側であっても第１領域Ｒ１のマジックカットの傷跡群があるので横方向にフィルムを切り裂くことができ、デザインの内側であっても、端縁近くであれば、第２領域Ｒ２のマジックカットの傷跡群の多くが残るので、その後に縦方向に容易に切り裂くことができる。なお、いずれの領域にパターンを施しているかにより、パターンに基づく横方向の切断位置が異なるので、いずれにしているのかはわかるようにする必要がある。
【００３０】
図３（ｂ）は別の例を示している。この例では、マジックカットの形成領域ＭＲの一方の側縁に、切り込みガイド線１１ｃを形成している。この切り込みガイド線１１は、側縁から横方向に所定長さだけ形成する。また、この切り込みガイド線１１ｃの形成位置を目立たせるため、その周囲の領域Ｒ３の部分を周囲と異なる色などで塗りつぶてもよい。また、切り込みガイド線１１ｃは、積層フィルムの外層等の一部に連続した直線状に切り込んで形成することができる。そして、切り込みガイド線１１ｃの形成位置は、マジックカットの形成領域ＭＲの任意の位置とするとができるが、好ましくは、エンドシール部１２側に近い半分の領域とし、より好ましくは、その領域の中でもエンドシール部に近い側とするとである。ただし、あまり端にすると、横方向にうまく切断できなくなる可能性があるので好ましくない。
【００３１】
これによりユーザは、切り込みガイド線１１ｃの部分から容易にフィルムを横方向にカットすることができる。そして、その後の縦方向の切断処理は、上記と同様である。また、切り込みガイド線１１は、いわゆるＩノッチのように完全にフィルムを切断しているものでもよい。その場合、領域Ｒ３の部分をシールなどして密封性を確保するとよい。
【００３２】
図３（ｃ）はさらに別の例を示している。この例では、横方向に延びる直線状の目印線１１ｄを印刷により形成している。これにより、ユーザは、その目印線１１ｄに沿ってフィルムを切り裂けばよいことが理解できる。なお、この目印線１１ｄはあくまでもおおよその目印を示しているに過ぎず、その目印線１１ｄからずれた位置を横方向にカットしても問題がないのは、図３（ａ）の例で説明した通りである。
【００３３】
さらに横方向の切断位置を示す目印線は、図３（ｄ）に示すように、横方向の全長に渡って形成する必要はなく、また形状も直線に限られない。たとえば図３（ｄ）に示すように、矢印形状の目印線１１ｅとすることもできる。当然ながら、同目印線１１ｅ並びに第１領域Ｒ１、切り込みガイド線１１ｃ、目印線１１ｄはいずれも縦方向易開封部１５を残す位置に設けられる。
【００３４】
図４は、横方向易開封部１４と縦方向易開封部１５の別の構成を示している。この図４に示した例では、上記のようにマジックカットのような多数の細かい傷痕群ではなく、所定パターンの切断線としている。一例としては、図４（ａ）の切断線は、横方向に延びる直線パターンＰ１の上に、適宜の間隔で円形パターンＰ１′を設けている。この所定パターンの切断線は、複数層の積層フィルムの外層側に形成することで、気密性が確保できる。もちろん、気密性が要求されない場合には、包装フィルムを内外で貫通するような切断線を設けることを妨げない。
【００３５】
これにより、直線パターンＰ１が横方向易開封部１４を構成し、直線パターンＰ１にそって横方向に切断して開口する。すると、開封後の開口端は、円形パターンＰ１′の半割された半円部分が残り、その半円部分は直線パターンＰ１の位置よりも本体１１に入り込んだ状態となる。従って、その半円部分が、Ｖノッチと同様の機能を発揮し、本体１１（包装フィルム）を縦方向に切り裂いていく際の開始部分、すなわち、縦方向易開封部１５を構成する。よって、その複数の半円部分の中の任意の位置からフィルムを縦方向に切断し、複数の帯片に分断できる。
【００３６】
また、横方向易開封部１４と縦方向易開封部１５は、図４（ｂ）に示すようにＬ字状パターンＰ２を横方向に並べて構成することもできる。つまり、Ｌ字状パターンＰ２を構成する横線部Ｐ２′が一直線上に並ぶようにし、その横線部Ｐ２′の一端にエンドシール部１２と反対側に延びる縦線部Ｐ２″が位置するようにする。これにより、横線部Ｐ２′が横方向易開封部１４となり、縦線部Ｐ２″が縦方向易開封部１５を構成するので、最初に横線部Ｐ２′（横方向易開封部１４）に沿って本体１１を横方向に切断して開口し、その開口部に臨む複数の縦線部Ｐ２″のうちの任意の箇所から縦線部Ｐ２″（縦方向易開封部１５）に沿って本体１１を縦方向に切り裂いて複数の帯片に分割して切り開くことができる。
【００３７】
さらに、横方向易開封部１４と縦方向易開封部１５は、図４（ｃ）に示すように、円形パターンＰ３を横方向に一直線上に並ぶように近接配置して構成することもできる。このようにすると、複数の円形パターンＰ３はミシン目のようになり、その円形パターンＰ３近傍の本体１１の側縁から横方向に切り裂くように力を加えると、隣接する円形パターンＰ３が徐々に切り裂かれていき、本体１１が横方向に切断されて開口する。そして、その開口された部位は、図４（ａ）と同様に、残った円形パターンＰ３の半円部分が本体１１側に切り込まれた形態となるので、その部分がＶノッチと同様の機能を発揮し、その円形パターンＰ３の部分から本体１１を縦方向に切り裂いていくことができる。よって、横方向に並んだ円形パターンＰ３全体が横方向易開封部１４となり、個々の円形パターンＰ３が縦方向易開封部１５となる。また、図示するように、本体１１の側縁近傍の円形パターンＰ３と、側縁との間をつなぐ直線パターンＰ３分を設けることで、側縁から円形パターンＰ３に対してスムーズに切り裂いていくことができる。
【００３８】
さらにまた、図４（ｄ）に示すように、Ｔ字状パターンＰ４を横方向に並べて構成することもできる。つまり、Ｔ字状パターンＰ４を構成する横線部Ｐ４′が一直線上に並ぶようにし、その横線部Ｐ４′の一端にエンドシール部１２と反対側に延びる縦線部Ｐ４″が位置するようにする。これにより、横線部Ｐ４′が横方向易開封部１４となり、縦線部Ｐ４″が縦方向易開封部１５を構成するので、最初に横線部Ｐ４′（横方向易開封部１４）に沿って本体１１を横方向に切断して開口し、その開口部に臨む複数の縦線部Ｐ４″のうちの任意の箇所から縦線部Ｐ４″（縦方向易開封部１５）に沿って本体１１を縦方向に切り裂いて複数の帯片に分割して切り開くことができる。
【００３９】
上記の各パターン例は、一例であり、本発明はこれに限るものではない。例えば、円形パターンＰ１，Ｐ３′は、対角線が縦横方向に位置する四角形（正方形・菱形等）としても良いし、その他各種のパターンを採ることができる。
【符号の説明】
【００４０】
１０  ピロー包装体
１１  本体
１２  エンドシール部
１３  製品
１４  横方向易開封部
１５  縦方向易開封部
【図１】
2011213376.tif 000003
【図２】
2011213376.tif 000004
【図３】
2011213376.tif 000005
【図４】
2011213376.tif 000006